(57)【特許請求の範囲】
【請求項１】
階段の高さ方向に連結される複数の階段側板と、前記階段側板に固定される複数の踏板と、前記複数の階段側板を前記高さ方向に連結する連結板と、を備え、前記階段側板に前記踏板をボルト締結によって固定し、前記連結板を前記複数の階段側板にボルト締結することによって連結する組立式階段であって、
前記階段側板は、
前記連結板を取り付けたとき、該連結板に設けられた複数の連結板ボルト孔と各々連通する連結ボルト孔、および、前記各踏板を各々固定するように列設された複数の踏板固定ボルト孔を有し、
前記連結板は、
前記階段側板に該連結板を取り付けたとき、前記階段側板の連結部位に任意の前記踏板を固定する踏板固定ボルト孔と連通するように、異なる間隔で前記複数の連結板ボルト孔を配置し、
前記任意の踏板を前記階段側板の連結部位に固定する踏板固定ボルト孔は、連結する２つの前記階段側板にわたって設置されており、
前記連結板の任意の複数の連結板ボルト孔は、一の前記階段側板に設置された前記踏板固定ボルト孔と、他の前記階段側板に設置された前記踏板固定ボルト孔に各々連通するように配置されている、
ことを特徴とする組立式階段。
【請求項２】
前記複数の踏板固定ボルト孔は、前記踏板と平行に前記一の階段側板および前記他の階段側板に列設され、
前記連結ボルト孔は、前記一の階段側板および前記他の階段側板の各連結縁端部に沿って列設されている、
ことを特徴とする請求項１に記載の組立式階段。
【発明の詳細な説明】
【技術分野】
【０００１】
この発明は、複数の踏板をボルト等を使用して側板に取り付け固定する組立式階段に関するものである。
【背景技術】
【０００２】
組立式の階段は、工場等において桁部分、踏板、各部の固定部材などを製造し、設置現場に搬送して組み立て施工を行っている。
階段の各踏板は、例えば、Ｌ字状の固定部品等を階段側板もしくは桁部分に取り付け固定しておき、Ｌ字状の水平部位に当該踏板の端部を載置して、ボルトおよびナット等の締結によって固定されている（例えば、特許文献１参照）。
各踏板を取り付け固定する階段側板は、充分な荷重耐性を確保し易いことから一体形成されていることが多く、上階あるいは踊り場まで届く長さで製造されている。
また、前述のように施工現場で組み立てるように階段を構成したとき、当該階段の部品点数が多くなり、これらの組立施工に使用するボルト・ナットなどの固定用部品の数量も相当多くなる。
【先行技術文献】
【特許文献】
【０００３】
【特許文献１】特開２００２−２１２７９号公報
【発明の概要】
【発明が解決しようとする課題】
【０００４】
上記のように従来の組立式階段は、例えば階段側板を一体形成した場合には、当該階段側板が相当の長尺部品となって、高額の搬送費用が必要になる。そのため、設置施工に要するコストを高めてしまうという問題点があった。また、長尺の階段側板を複数に分割構成した場合には、これらの連結に用いる部品数が増えることになり、部品コストならびに組立施工に要する工数を増大させてしまうという問題点があった。
【０００５】
本発明は上記課題を解決するためになされたもので、充分な強度を確保しつつ部品点数を抑制して階段側板等を連結させるように構成した組立式階段を提供する。
【課題を解決するための手段】
【０００６】
この発明に係る組立式階段は、階段の高さ方向に連結される複数の階段側板と、前記階段側板に固定される複数の踏板と、前記複数の階段側板を前記高さ方向に連結する連結板と、を備え、前記階段側板に前記踏板をボルト締結によって固定し、前記連結板を前記複数の階段側板にボルト締結することによって連結する組立式階段であって、前記階段側板は、前記連結板を取り付けたとき、該連結板に設けられた複数の連結板ボルト孔と各々連通する連結ボルト孔、および、前記各踏板を各々固定するように列設された複数の踏板固定ボルト孔を有し、前記連結板は、前記階段側板に該連結板を取り付けたとき、前記階段側板の連結部位に任意の前記踏板を固定する踏板固定ボルト孔と連通するように、異なる間隔で前記複数の連結板ボルト孔を配置し、前記任意の踏板を前記階段側板の連結部位に固定する踏板固定ボルト孔は、連結する２つの前記階段側板にわたって設置されており、前記連結板の任意の複数の連結板ボルト孔は、一の前記階段側板に設置された前記踏板固定ボルト孔と、他の前記階段側板に設置された前記踏板固定ボルト孔に各々連通するように配置されていることを特徴とする。
【０００８】
また、前記複数の踏板固定ボルト孔は、前記踏板と平行に前記一の階段側板および前記他の階段側板に列設され、前記連結ボルト孔は、前記一の階段側板および前記他の階段側板の各連結縁端部に沿って列設されていることを特徴とする。
【発明の効果】
【０００９】
この発明によれば、搬送を容易にするとともに、充分な強度を確保しながら部品点数ならびに組み立てに要する工数を抑えることができる。
【図面の簡単な説明】
【００１０】
【図１】本発明の実施例による組立式階段の概略構成を示す説明図である。
【図２】図１の組立式階段を正面視した場合の概略構成を示す説明図である。
【図３】本実施例の組立式階段に用いるＬ型アングルの概略構成を示す斜視図である。
【図４】本実施例の組立式階段に用いる連結板の概略構成を示す斜視図である。
【図５】図１の階段側板と階段上端部との連結部分を示す説明図である。
【図６】図１の階段側板と階段下端部との連結部分を示す説明図である。
【図７】図１の組立式階段に用いられる連結板の構成を示す説明図である。
【図８】本実施例による組立式階段の概略構成を示す説明図である。
【発明を実施するための形態】
【００１１】
以下、この発明の実施の一形態を説明する。
［実施例］
図１は、本発明の実施例による組立式階段の概略構成を示す説明図である。この図は、本実施例の組立式階段１を側方視した場合の略断面を示している。
図２は、図１の組立式階段を正面視した場合の概略構成を示す説明図である。
組立式階段１は、施工現場等において組み立てを行うもので、複数の側板を連結して所望の高さまで届くように構成されている。
図示した組立式階段１は、例えば、階段側板２ａの下側に階段側板２ｂを連結するように構成されており、階段側板２ａの上端には、上階または踊り場などの床構造体等に固定するように構成された階段上端部３を備えている。
また、階段側板２ｂの下端には、下階床部分または地面などに固定するように構成された階段下端部４を備えている。
この階段上端部３および階段下端部４は、階段側板２ａ，２ｂとともに、組立式階段１の階段側板の一部をなすものである。
なお、ここで説明に使用する各図は、例えばボルト・ナット等の締結部材の図示を省略している。
【００１２】
階段側板２ａ，２ｂ、階段上端部３、および、階段下端部４は、図２に示したように左右両側に各々配置され、この左右両側（各階段側板２ａ，２ｂの内側となる部位）に、水平方向（図中の左右方向）において対向配置されるように、後述するＬ型アングル１２が複数取付け固定されている。
対向配置されたＬ型アングル１２には踏板１１が載置され、例えばボルト・ナット等の締結によって当該Ｌ型アングル１２に踏板１１が固定されている。
階段側板２ａと階段上端部３との連結部分、階段側板２ａと階段側板２ｂとの連結部分、階段側板２ｂと階段下端部４との連結部分、即ち各階段側板の縁端部は、例えば、組立式階段１の進行方向に対して鉛直に形成されている。
上記の階段側板２ａと階段上端部３との連結部分、階段側板２ａと階段側板２ｂとの連結部分、また、階段側板２ｂと階段下端部４との連結部分は、各々連結板１３を用いて連結固定されている。
連結板１３は、階段側板２ａ，２ｂの外側部位に配置され、複数のボルトを挿通させ、これらのボルトにナット締結を行うことによって固定されている。
【００１３】
図３は、本実施例の組立式階段に用いるＬ型アングルの概略構成を示す斜視図である。図示したＬ型アングル１２は、例えば、所定厚みの金属板を折り曲げ加工して上片２０と側片２１を形成させたもので、上片２０には、踏板１２の固定に用いる図示を省略したボルト孔が設けられている。
また、Ｌ型アングル１２の側片２１には、階段側板２ａまたは階段側板２ｂに取付け固定するときに用いるボルト孔が設けられている。ここで例示したＬ型アングル１２は、４か所のボルト孔を備えている。これらボルト孔１２１〜１２４は、図中水平方向、即ち、踏板１１に対して平行に並んでおり、直線状に列設されている。なお、各ボルト孔１２１〜１２４は貫通孔であり、また、側片２１に設けるボルト孔は４か所に限定されるものではない。
ここで、上記のように水平方向に並んでいる孔のうち、側片２１の中央側に配置されているボルト孔１２２とボルト孔１２３との間隔を例えば「距離ａ」とする。
【００１４】
図４は、本実施例の組立式階段に用いる連結板の概略構成を示す斜視図である。図示した連結板１３は、例えば、四辺形に形成された所定厚みの金属板に、複数のボルト孔を２列に並べて設けたものである。なお、図４の連結板１３は、説明を明瞭にするため本発明の特徴に関連するボルト孔のみを図示したもので、連結の際に用いる全てのボルト孔を図示したものではない。
図４に例示した連結板１３は、ボルト孔１３０，１３２，１３４，１３６が直線状に配置された第１ボルト孔列と、ボルト孔１３１，１３３，１３５，１３７が直線状に配置された第２ボルト孔列を形成するように各孔が設けられている。なお、各列内において各ボルト孔間は等間隔で一様になっているとは限らない。また、第１ボルト孔列のボルト孔１３２と、第２ボルト孔列のボルト孔１３３との間隔は、前述の距離ａとなっている。
【００１５】
図５は、図１の階段側板と階段上端部との連結部分を示す説明図である。この図は、階段側板２ａの上端と階段上端部３とを連結したときの態様を側方視したもので、各部に設けられているボルト孔の配置を示している。なお、図５の階段側板２ａおよび階段上端部３には、本発明の特徴に関連するボルト孔のみを図示し、連結の際に用いる全てのボルト孔を図示していない。
階段側板２ａは、Ｌ型アングル１２を取り付け固定する踏板取付孔２２０を複数設けている。踏板取付孔２２０は、図３に示したＬ型アングル１２のボルト孔１２１〜１２４と対応するように、直線状に配置されたボルト孔２２１〜２２４によって構成されている。
特に、階段側板２ａと階段上端部３との連結部分においては、これら２つの部材をまたいでＬ型アングル１２を取り付けるように、踏板取付孔２２０のうち、例えば、ボルト孔２２１，２２２を階段側板２ａに設け、ボルト孔２２３，２２４を階段上端部３に設けている。
【００１６】
換言すると、階段側板２ａと階段上端部３を連結してＬ型アングル１２を取り付け位置に配置したとき、Ｌ型アングル１２のボルト孔１２１と階段側板２ａのボルト孔２２１が連通し、同様にボルト孔１２２とボルト孔２２２が連通して、固定用のボルトを挿通可能な状態になる。また、Ｌ型アングル１２のボルト孔１２３と階段上端部３のボルト孔２２３が連通し、同様にボルト孔１２４とボルト孔２２４が連通して、固定用のボルトを挿通することが可能な状態になる。
図示した階段側板２ａと階段上端部３の連結部分においては、Ｌ型アングル１２の取り付け固定に先立ち、階段側板２ａと階段上端部３とを連結板１３を用いて連結固定する。
【００１７】
階段側板２ａと階段上端部３を連結した状態で、これらの外側部分に設けた取り付け位置に連結板１３を配置すると、連結板１３のボルト孔１３０と階段側板２ａのボルト孔２３０が連通する。同様に、ボルト孔１３２とボルト孔２２２が連通し、ボルト孔１３４とボルト孔２３４が連通し、また、ボルト孔１３６とボルト孔２３６が連通する。
またさらに、連結板１３のボルト孔１３１と階段上端部３のボルト孔２３１が連通する。同様に、ボルト孔１３３とボルト孔２２３が連通し、ボルト孔１３５とボルト孔２３５が連通し、また、ボルト孔１３７とボルト孔２３７が連通する。
【００１８】
即ち、連結板１３のボルト孔１３２と階段側板２ａのボルト孔２２２とＬ型アングル１２のボルト孔１２２が連通し、また、連結板１３のボルト孔１３３と階段上端部３のボルト孔２２３とＬ型アングル１２のボルト孔１２３が連通する。
上記のように連通した各ボルト孔に各々ボルト等を挿通させ、ナット等に締結することによって階段側板２ａと階段上端部３とを連結するとともに、この連結部分にＬ型アングル１２を取り付け固定する。
換言すると、前述の第１ボルト孔列ならびに第２ボルト孔列と、踏板取付孔２２０は交錯するように設置されている。この交錯している部分の各ボルト孔に、各々ボルトを挿通・締結して、組立式階段１の高さ方向に２つの階段側板（ここでは階段上端部３と階段側板２ａ）を連結するとともに、Ｌ型アングル１２もしくは踏板１１の固定を行う。
【００１９】
なお、前述のボルト孔２３４，２３５、ならびに、これらと各々連通する連結板１３のボルト孔１３４，１３５については、例えば踏板１１を相当の厚みを有するように構成した場合、Ｌ型アングル１２に踏板１１を載置した後、上記のボルト孔２３４，２３５にボルト等を挿通させ、このボルト等を踏板１１の側方部位に締結して当該踏板１１の固定を補強することが好ましい。
【００２０】
図６は、図１の階段側板と階段下端部との連結部分を示す説明図である。この図は、階段側板２ｂの下端と階段下端部４とを連結したときの態様を側方視したもので、各部に設けられているボルト孔の配置を示している。なお、図６の階段側板２ｂおよび階段下端部４には、本発明の特徴に関連するボルト孔のみを図示し、連結の際に用いる全てのボルト孔を図示していない。
階段側板２ｂは、階段側板２ａと同様に、Ｌ型アングル１２を取り付け固定する踏板取付孔２２０を複数設けており、特に、当該階段側板２ｂの下端に配置した踏板取付孔２２０においては、階段下端部４との連結部分に固定されるＬ型アングル１２のボルト孔１２３，１２４と各々対応する（連通する）ボルト孔２２３，２２４を設けている。なお、階段下端部４には、階段側板２ｂと連結したとき上記ボルト孔２２３，２２４と直線状に配置されるボルト孔２２１，２２２が設けられている。
【００２１】
また、ここでは詳細な説明を省略するが、図１に示したように階段側板２ａと階段側板２ｂとの連結部分においても、Ｌ型アングル１２もしくは踏板１１の取り付け固定に使用する踏板取付孔２２０のうち、ボルト孔２２２，２２３は連結板３のボルト孔１３２，１３３と各々連通し、Ｌ型アングル１２もしくは踏板１１の取り付け固定、ならびに、階段側板２ａと階段側板２ｂの連結固定に使用される。
【００２２】
図７は、図１の組立式階段に用いられる連結板の構成を示す説明図である。この図は、組立式階段１に使用される連結板１３の具体的な構成の一例を示したもので、当該一例である連結板１３の斜視図である。
図７の連結板１３は、前述の説明と同様なボルト孔１３０〜１３７を備えており、さらにボルト孔３３１，３３２を備えている。このボルト孔３３１，３３２は、Ｌ型アングル１２もしくは踏板１１の取り付け固定には関連しない位置に設けられており、２つの階段側板の連結固定、例えば、階段側板２ａと階段側板２ｂとの連結固定を強固にする位置に配置されている。
図７に例示した連結板１３は、ボルト孔３３１が、ボルト孔１３０，１３２，１３４，１３６からなる第１ボルト孔列に含まれ、ボルト孔３３２が、ボルト孔１３１，１３３，１３５，１３７からなる第２ボルト孔列に含まれている。
【００２３】
例えば、階段側板２ａと階段側板２ｂとの連結部位においては、第１ボルト孔列の各ボルト孔は、階段側板２ａの連結縁端部の側面側に列設された複数のボルト孔と各々連通し、第２ボルト孔列の各ボルト孔は、階段側板２ｂの連結縁端部の側面側に列設された複数のボルト孔と連通するように配置されている。
このように、連結板１３に設けられた各ボルト孔は、各階段側板の縁端部に沿って列設された各ボルト孔と連通する。また、前述のように、連結板１３に設けられたボルト孔のうち、任意のボルト孔（例えば、ボルト孔１３２，１３３）は、Ｌ型アングル１２もしくは踏板１１を固定する各ボルト孔のうち、任意のボルト孔（例えば、Ｌ型アングル１２のボルト孔１２２，１２３、ならびに、各階段側板のボルト孔２２２，２２３）と連通するように配置されている。即ち、当該連結版１３の各ボルト孔は、第１ボルト孔列内において異なった間隔で配置され、また、第２ボルト孔列内においても異なった間隔で配置されている。
【００２４】
図８は、本実施例による組立式階段の概略構成を示す説明図である。図８（ａ）は、組立階段１に手すり２０を取り付け固定した状態を側方視したもので、図８（ｂ）は、この組立式階段１を正面視した状態を示している。なお、図８には、組立式階段１の一部分を図示している。
図１等に示したように組立式階段１を組み立て固定した後、この組立式階段１に手すり２０を取り付け施工するようにしてもよい。
手すり２０は、手すり板２１と、複数の手すり支柱部材２２によって構成されており、例えば、建屋の壁部分に当該組立式階段１を隣接させ、この壁部分に沿って上階あるいは下階へ移動するように設置するときには、上記壁側となる階段側板２ａ，２ｂ等には手すり２０を設置せず、上記の壁部分と対向する側の階段側板２ａ，２ｂに手すり２０が設置固定されている。
【００２５】
手すり支柱部材２２は、例えば、少なくとも両端部が平板状に形成された長尺部材であり、組立式階段１には上下方向もしくは鉛直方向に延びるように設置固定される。
手すり支柱部材２２の上端部は、建屋などに設置された状態の組立式階段１もしくは手すり板２１の傾斜に対応させて、また、手すり板２１を下方から支持するように、略Ｌ字状に曲げ形成されており、手すり板２１の下面に固定するためのボルト孔等が設けられている。
手すり支柱部材２２の下端部は、前述のように平板状に形成されており、この下端部の平板面は、例えば、長尺形状の適当な位置において、上端部の平板面に対して９０度ひねりを加えた方向を向いている。
また、下端部の平板面は、組立式階段１の階段側板２ａ，２ｂなどの外側面と面接合するように構成されており、接合固定用のボルト孔が設けられている。
【００２６】
上記のように形成された手すり支柱部材２２は、適当な間隔を設けて階段側板２ａ，２ｂ等の外側面に取り付け固定され、これらの上端部に手すり板２２が固定されている。
なお、図８では組立式階段１の片側（図中右側）に手すり２０を設けたものを例示しているが、当該組立式階段１の両側に設けることも可能である。
【００２７】
以上のように本実施例によれば、複数の階段側板２ａ，２ｂ等を連結することによって所望の高さに届く組立式階段１を構成することができ、施工現場へ搬送することが容易な長さに各階段側板等を形成して施工コストを抑制することが可能になる。
また、各階段側板２ａ，２ｂ等および連結板１３に設けた連結用のボルト孔と、踏板１１を固定するためのボルト孔が連通するようにしたので、階段の組み立てに要するボルト等の部品数量を少なく抑えることができる。
【符号の説明】
【００２８】
１組立式階段
２ａ，２ｂ階段側板
３階段上端部
４階段下端部
１１踏板
１２Ｌ型アングル
１３連結板
２０手すり
２１手すり板
２２手すり支柱部材
１２１〜１２４ボルト孔
１３０〜１３７ボルト孔
２２０踏板取付孔
２２１〜２２４ボルト孔
２３０，２３１，２３４〜２３７ボルト孔
３３１，３３２ボルト孔
【図１】
0006388568.tif 000002
【図２】
0006388568.tif 000003
【図３】
0006388568.tif 000004
【図４】
0006388568.tif 000005
【図５】
0006388568.tif 000006
【図６】
0006388568.tif 000007
【図７】
0006388568.tif 000008
【図８】
0006388568.tif 000009